【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
有価証券類の検査のために構成されるセンサ(１００)を作製する方法において、
・複数の光源座(１１)がその上に設けられる光源支持手段(１０)であって、前記複数の光源座(１１)のそれぞれは光源(１５)を支持するために構成されるものである光源支持手段(１０)、
・複数のマイクロレンズ(２１)を有するマイクロレンズアレイ(２０)であって、それによって、前記複数の光源座(１１)のそれぞれが前記複数のマイクロレンズ(２１)の内の正確に１つと対応付けられるように、前記光源支持手段(１０)と、互いに対して配置することができるマイクロレンズアレイ(２０)、
・結像光学系(２５)、及び
・検出ユニット(３０)、
を備える、センサプラットフォーム(７０)を提供する工程、
照明ユニット(５０)を、
・前記光源支持手段(１０)に光源(１５)を装着する工程であって、前記光源支持手段(１０)の前記複数の光源座(１１)の内のいくつかにはそれぞれ正確に１つの前記光源(１５)が配置され、前記光源(１５)の内の少なくとも２つの発光スペクトルが相異なるものである工程と、
・前記マイクロレンズアレイ(２０)と、前記光源(１５)が装着された、前記光源支持手段(１０)を、前記光源(１５)のそれぞれが前記マイクロレンズアレイ(２０)の前記複数のマイクロレンズ(２１)の内の正確に１つと対応付けられるように、互いに対して配置する工程と、
によって形成する工程、
前記照明ユニット(５０)と前記結像光学系(２５)を、前記センサ(１００)の動作時に、前記照明ユニット(５０)によって放射される光が前記センサ(１００)によって検査されるべき有価証券類(１)上に前記結像光学系(２５)により結像され得るように配置する工程、及び
前記検出ユニット(３０)を、前記センサ(１００)の動作時に、前記照明ユニット(５０)によって照明された前記有価証券類(１)から発せられる検出光を前記検出ユニット(３０)が検出できるように配置する工程、
を含むことを特徴とする方法。
【請求項２】
前記照明ユニット(５０)の形成工程において、前記光源(１５)が装着された前記光源支持手段(１０)と前記マイクロレンズアレイ(２０)が相互に結合されることを特徴とする請求項１に記載の方法。
【請求項３】
前記光源(１５)を駆動するために構成された制御ユニット(６０)が前記センサ(１００)に備えられ、前記センサ(１００)を作製するための前記方法が、前記有価証券類(１)を相異なる発光スペクトルによって次々に照明できるように、前記照明ユニット(５０)の前記光源(１５)のオン／オフを次々に切り換えるために前記制御ユニット(６０)を構成する工程をさらに含むことを特徴とする請求項１または２に記載の方法。
【請求項４】
有価証券類を検査するための相異なるセンサが、同じ前記センサプラットフォーム(７０)から作製されることを特徴とする請求項１から３のいずれかに記載の方法。
【請求項５】
有価証券類を検査するためのセンサ(１００)において、
照明ユニット(５０)であって、
・それぞれの発光スペクトルが相異なる、少なくとも２つの光源(１５)と、
・それぞれが前記光源(１５)の内の１つを支持するために構成された、複数の光源座(１１)がその上に設けられる光源支持手段(１０)であって、前記光源座(１１)のいくつかにおいて、それぞれに前記光源(１５)の内の１つが正確に配置される光源支持手段(１０)と、
・複数のマイクロレンズ(２１)を有するマイクロレンズアレイ(２０)であって、前記マイクロレンズアレイ(２０)及び前記光源支持手段(１０)は、前記光源支持手段(１０)上に配置された前記光源(１５)のそれぞれが前記複数のマイクロレンズ(２１)の内の正確に１つと対応付けられ、よって前記光源(１５)のそれぞれの発光光が前記光源(１５)と対応付けられた前記マイクロレンズ(２１)によって集光されるように、互いに対して配置されるものであるマイクロレンズアレイ(２０)と、
を有する照明ユニット(５０)、
前記照明ユニット(５０)によって放射される光を、前記センサ(１００)の動作時に、前記センサ(１００)によって捕捉されるべき有価証券類(１)上に結像させることができる、結像光学系(２５)、及び
前記センサ(１００)の動作時に、前記照明ユニット(５０)によって照明された前記有価証券類(１)から発せられる検出光を検出するために構成された検出ユニット(３０)、
を備えることを特徴とするセンサ(１００)。
【請求項６】
前記有価証券類(１)を相異なる発光スペクトルによって次々に照明するために前記照明ユニット(５０)の前記光源(１５)のオン／オフを次々に切り換えるように適合された制御ユニット(６０)が前記センサ(１００)に備えられていることを特徴とする請求項５に記載のセンサ(１００)。
【請求項７】
前記センサ(１００)が、前記センサ(１００)の動作時に、前記有価証券類(１)から発せられる光のスペクトル強度分布を捕捉するためにオン／オフが次々に切り換えられる、複数の相異なる光源(１５)を備えることを特徴とする請求項５または６に記載のセンサ(１００)。
【請求項８】
前記マイクロレンズアレイ(２０)が、前記マイクロレンズアレイ(２０)を前記光源支持手段(１０)に結合するための結合手段(２２)を有することを特徴とする請求項５から７のいずれかに記載のセンサ(１００)。
【請求項９】
前記マイクロレンズアレイ(２０)が一体構造体として構成されることを特徴とする請求項５から８のいずれかに記載のセンサ(１００)。
【請求項１０】
前記光源座(１１)のそれぞれがチップ形光源(１５)を支持するために構成されることを特徴とする請求項５から９のいずれかに記載のセンサ(１００)。
【請求項１１】
センサファミリーであって、請求項５から１０のいずれかに記載の少なくとも１つの第１のタイプのセンサ(１００Ａ)及び請求項５から１０のいずれかに記載の少なくとも１つの第２のタイプのセンサ(１００Ｂ)を含むセンサファミリーにおいて、前記少なくとも１つの第１のタイプのセンサ(１００Ａ)がいくつかの第１の発光スペクトルを用いる照射によって有価証券類を検査するために構成され、前記少なくとも１つの第２のタイプのセンサ(１００Ｂ)が、少なくとも１つが前記第１の発光スペクトルとは異なる、いくつかの第２の発光スペクトルを用いる照射によって有価証券類を検査するために構成されることを特徴とするセンサファミリー。
【請求項１２】
前記少なくとも１つの第１のタイプのセンサ(１００Ａ)及び前記少なくとも１つの第２のタイプのセンサ(１００Ｂ)が、同じマイクロレンズアレイ(２０)及び／または同じ光源支持手段(１０)及び／または同じ結像光学系(２５)及び／または同じ検出ユニット(３０)を有することを特徴とする請求項１１に記載のセンサファミリー。
【請求項１３】
前記少なくとも１つの第１のタイプのセンサ(１００Ａ)及び前記少なくとも１つの第２のタイプのセンサ(１００Ｂ)が同じセンサプラットフォーム(７０)からの作製が可能であり、前記同じセンサプラットフォーム(７０)が少なくとも、同じ光源支持手段(１０)、同じマイクロレンズアレイ(２０)、同じ結像光学系(２５)及び同じ検出ユニット(３０)を有することを特徴とする請求項１１または１２に記載のセンサファミリー。
【請求項１４】
前記第１のタイプのセンサ(１００Ａ)及び前記第２のタイプのセンサ(１００Ｂ)に同じ選択(Ｓ)の光源(１５)が装備され、前記第２のタイプのセンサ(１００Ｂ)が、前記第１のタイプのセンサ(１００Ａ)と比較して前記有価証券類を検査するために異なるサブセット(Ｂ)の前記光源(１５)を用いることを特徴とする請求項１１から１３のいずれかに記載のセンサファミリー。
【請求項１５】
前記第１のタイプのセンサ(１００Ａ)に第１の選択(ＳＡ)の光源(１５Ａ)が装備され、前記第２のタイプのセンサ(１００Ｂ)に、前記第１の選択(ＳＡ)とは異なる、第２の選択(ＳＢ)の光源(１５Ｂ)が装備されることを特徴とする請求項１１から１３のいずれかに記載のセンサファミリー。